(57)【要約】【課題】美容用蒸気機装置の提供。【解決手段】一種の美容用蒸気機装置であり、主に機体及び回転座を含み、その中に、当該機体はトップ端に軸を設けて、その内部に当該軸と貫通する導管及び電熱素子を設けて、機体下方の一側に回転用の押さえ付けレバーを設け、当該回転座は連接管を設け、連接管を回転できる蒸気ノズルに連接させる。これにより、回転座を連接管で機体の軸に嵌め込み、しかも機体内に水カップを設置し、電熱素子をカップに入れさせ、同時に押さえ付けレバーで押さえ付けて固定することで、美容用蒸気機を構成する。カップに入れた水を加熱した後、形成した蒸気がノズルから噴出して、蒸気美容の効果を達し、美容用蒸気機を独立使用でき、または美容の専用カートと併せて使用できる。【選択図】図４
0003124685.tif 000002
【実用新案登録請求の範囲】
【請求項１】
機体を含み、そのトップ端に軸を設け、内部には電熱素子及び導管を設け、導管を当該軸と貫通させ、
回転座を含み、連接管を設けて、当該連接管を回転できる直レバーの蒸気ノズルに連接させ、
押さえ付けレバーを含み、それは機体下方の一側に設けられ、それは回転軸を含み、当該回転軸に横向の連接軸を設け、当該連接軸にコ状の直レバー及びボルトを設け、ボルトの上、下端に盤体及び回転ノッブを設け、
前記構成の組合せにより、当該回転座は、連接管で機体に軸に嵌め込まれ、また機体内に水カップを置いて、押さえ付けレバーにより水カップを固定し、電熱素子の加熱で水カップに入れた水を蒸気に形成し、蒸気を蒸気ノズルから噴出させることを特徴とする美容用蒸気機装置。
【請求項２】
当該機体下方にレバーを設置し、軸体の底部に回転輪を設け、機体を美容の専用カートに固着して併せて使用できることを特徴とする請求項１記載の美容用蒸気機装置。
【請求項３】
機体底部に設けられた直レバーは、その底縁にラックを設置することができ、機体が独立に使用できることを特徴とする請求項２記載の美容用蒸気機装置。
【考案の詳細な説明】
【技術分野】
【０００１】
本考案は、美容用蒸気機装置に関し、特に、操作が易くて、美容の専用カートと併せて使用できる美容用蒸気機装置を指す。
【背景技術】
【０００２】
一般的に美容用の蒸気機は独立の機体を設け、機体には電熱素子を設置し、電熱素子が水を沸騰して蒸気を形成した後噴出させ、蒸気美容の作用を構成する。従来の美容用蒸気機は、独立の製品であるため、美容師が他の美容作業を完成した後、美容カートを移出してから蒸気機を移入必要があり、使用上に不便をもたらす。且つ多種の機台を並べて置くことは多い空間を占めるため、理想的とは言えない。
【考案の開示】
【考案が解決しようとする課題】
【０００３】
本考案の主な目的は、美容用蒸気機装置を提供し、美容用蒸気機が美容の専用カートと併せて、または独立に使用でき、美容用蒸気機の実用価値を高める。
【０００４】
前記の美容用蒸気機装置は、機体及び回転座で組合われて、当該機体のトップ端には軸が設けられ、内部に当該軸と貫通する導管及び電熱素子を設け、機体下方の一側に回転用の押さえ付けレバーを設け、当該回転座には連接管を設け、この連接管を回転できる蒸気ノズルに連接させ、それに回転座を連接管で機体に軸に嵌め込む。また機体内に水カップを設置し、電熱素子をカップに延ばし、押さえ付けレバーで押さえ付けて固定することにより、美容用蒸気機を構成して、カップに入れた水を加熱した後、形成された蒸気がノズルから噴出し、蒸気美容の効果を達する。
【０００５】
前記の美容用蒸気機装置は、その中に、当該押さえ付けレバーは機体下方の一側に設けられた回転軸を含み、その回転軸に連接軸を設け、且つ連接軸にコ状の直レバーを設け、及び上、下端にそれぞれ盤体とノッブのボルトが設けられ、連接軸を外から内部へ転入させた後、ノッブにより盤体でカップの底部を支え、また直レバーにより機体の底縁を押し付けることで、水カップに対して固定を構成する。
【０００６】
前記の美容用蒸気機装置の中に、当該機体下方にはレバーの連接に供され、レバーの底部に回転輪を設け、機体を美容の専用カートに固着して併用させ、または軸体の底部にラックを設け、機体を独立に使用状態に構成させる。
【課題を解決するための手段】
【０００７】
請求項１の考案は、機体を含み、そのトップ端に軸を設け、内部には電熱素子及び導管を設け、導管を当該軸と貫通させ、
回転座を含み、連接管を設けて、当該連接管を回転できる直レバーの蒸気ノズルに連接させ、
押さえ付けレバーを含み、それは機体下方の一側に設けられ、それは回転軸を含み、当該回転軸に横向の連接軸を設け、当該連接軸にコ状の直レバー及びボルトを設け、ボルトの上、下端に盤体及び回転ノッブを設け、
前記構成の組合せにより、当該回転座は、連接管で機体に軸に嵌め込まれ、また機体内に水カップを置いて、押さえ付けレバーにより水カップを固定し、電熱素子の加熱で水カップに入れた水を蒸気に形成し、蒸気を蒸気ノズルから噴出させることを特徴とする美容用蒸気機装置としている。
請求項２の考案は、当該機体下方にレバーを設置し、軸体の底部に回転輪を設け、機体を美容の専用カートに固着して併せて使用できることを特徴とする請求項１記載の美容用蒸気機装置としている。
請求項３の考案は、機体底部に設けられた直レバーは、その底縁にラックを設置することができ、機体が独立に使用できることを特徴とする請求項２記載の美容用蒸気機装置としている。
【考案の効果】
【０００８】
本考案は美容用蒸気機装置を提供し、美容用蒸気機が美容の専用カートと併せて、または独立に使用でき、美容用蒸気機の実用価値を高める。
【考案を実施するための最良の形態】
【０００９】
同時に図１、図２を参照すること。本考案は主に機体１及び回転座２を含み、その中、当該機体１はトップ端には軸１１を設け、機体１の内部には電熱素子１２及び導管１３を設けて導管１３を軸１１と貫通させ、機体１下方の一側に押さえ付けレバー３を設け、当該押さえ付けレバー３は回転軸３１を含み、当該回転軸３１に横向の連接レバー３２設け、当該連接軸３２にコ状の直レバー３３及びボルト３４を設け、当該ボルト３４の上、下端にそれぞれ盤体３５とノッブ３６を設け、機体１の下方にレバー１４を接続し、軸体１４の底部に回転輪１５を設ける。
【００１０】
当該回転座２は連接管２１を設け、当該連接管２１を回転可能な直レバー状の蒸気ノズル２２に連接させる。
【００１１】
前記構成の組合せにより、当該回転座２は、連接管２１で機体１に軸１１に嵌め込まれ、また機体１内に水カップ４を設置し、機体１内の電熱素子１２及び導管１３をカップ４内に伸ばさせ、そして押さえ付けレバー３を回転軸３１から機体１内に転入し、ノッブ３６の回転により盤体３５で水カップ４の底部を支え、また直レバー３３で機体１の底縁に押し付けることによって、水カップを固定し、機体１を美容の専用カートに固着させる。使用する時、電熱素子１２が水カップ４に入れた水を加熱して蒸気を形成し、そして蒸気をノズル２２から噴出して蒸気美容の効果を達する。
【００１２】
同時に図３、４を参照すること。本考案の使用する時は、水カップ４を機体１に置いた後、押さえ付けレバー３の連接レバー３２を内部へ回転し、盤体３５を水カップ４の底部に押し付けさせ、ノッブ３６で回転した後、当該水カップ４に押し付け、ノッブ３６で弁体３５を回転して締めた後、その中、連接レバー軸３２に設けられた直レバー３３が機体１の底縁に押し付けることで、押さえ付けレバー３の上、下端がそれぞれ上向き及び下向きの押し付け力を呈し、水カップ４をしっかり締めて固定し、水カップ４を固定した後、当該機体１は美容の専用カート５の一側に装着することができ、当該美容の専用カート５と一体を形成する。これにより、使用する時、美容の専用カートから異なっている美容用品、用具を取ることができ、また蒸気を使用する時、直接に蒸気ノズル２２を転向でき、非常に便利で操作も簡単である。
【００１３】
図５を参照すること。本考案の機体１の底部は軸体１４に連接された後、軸体１４の底部にラック１６を設け、機体が独立に使用でき、美容の専用カートを併せて使用する必要がなくなり、本考案の実用価値を高める。
【００１４】
上記をまとめると、本考案は押さえ付けレバーと軸を設けた機体で回転座を合わせて美容用蒸気機の使用を便利にし、操作も容易になった。
【図面の簡単な説明】
【００１５】
【図１】本考案の立体分解図である。
【図２】本考案の立体分解図である。
【図３】本考案による押さえ付けレバーを使用する実施例図である。
【図４】本考案が美容の専用カートと合わせて使用する実施例図である。
【図５】本考案による独立使用の実施例図である。
【符号の説明】
【００１６】
１  機体
２  回転座
３  押さえ付けレバー
４  水カップ
５  美容の専用カート
１１  軸
１２  電熱素子
１３  導管
１４  軸体
１５  回転輪
１６  ラック
２１  連接管
２２  蒸気ノズル
３１  回転軸
３２  連接レバー
３３  直レバー
３４  ボルト
３５  盤体
３６  ノッブ
【図１】
0003124685.tif 000003
【図２】
0003124685.tif 000004
【図３】
0003124685.tif 000005
【図４】
0003124685.tif 000006
【図５】
0003124685.tif 000007